(57)【要約】【課題】水気や水が水がボール芯に浸入するのを防止し、ボールコントロール及び使用寿命を高め、且つ生産速度を高める表皮縫合不要の野球、ソフトボール用の球構造を提供する。【解決手段】表皮縫合不要の野球又はソフトボール用の球構造は、ボール芯４０表面に防水層４１を設置し、防水層４１の表面には凸条４２が形成され、この凸条４２が表皮５０の皮５１、５２周辺縁にちょうど接合する形状で、更に凸条４２の厚みは少なくとも同じか、もしくは表皮５０の皮５１，５２の厚みよりやや厚い。表皮５０の二枚の皮５１，５２は接着方式で、凸条４２以外の防水層４１表面にしっかりと貼り付けられる。【選択図】　　　　図４
0003098358.tif 000002
【実用新案登録請求の範囲】
【請求項１】
主にボール芯及び該ボール芯外面を包む表皮とから構成された表皮縫合不要の野球又はソフトボール用の球構造において、そのうち、
高密度のコルク芯外側には幾層もの高弾性ゴム層を覆い、該ゴム層の外面には何層もの糸を巻きつけたボール芯と、
二枚の立体展開に裁断した皮を該ボール芯外面に覆った表皮とから構成され、
該ボール芯表面には防水層があり、該防水層の表面には凸条が成形され、該凸条の形状は該表皮の二枚皮周辺縁にちょうど接合するもので、該凸条の厚みは少なくとも同じか、もしくは該表皮の二枚皮の厚みよりやや厚く、該表皮の二枚皮を接着方式で該凸条以外の防水層表面にしっかり貼り付けることを特徴とする表皮縫合不要の野球又はソフトボール用の球構造。
【請求項２】
前記凸条は、表面に滑り止め作用の凸粒（もしくは凸紋）が設置されることを特徴とする請求項１記載の表皮縫合不要の野球又はソフトボール用の球構造。
【考案の詳細な説明】
【０００１】
【考案の属する技術分野】
本考案は、表皮縫合不要の野球又はソフトボール用の球構造に関するもので、水気や水がボール芯に浸入するのを防止し、ボールコントロール及び使用寿命を高め、且つ生産速度を高めるものである。
【０００２】
【従来の技術】
図１，２、３に示すとおり、公知の野球やソフトボールに用いられる球構造は、主にボール芯１０及び縫合糸３０によってボール芯１０外面を縫合された表皮２０から構成される。そのうち、ボール芯１０は高密度のコルク芯外側を幾層もの高弾性ゴム層で覆い、ゴム層の外面には羊毛の混紡糸もしくはその他糸等を何層も巻き付けて構成される。また、表皮２０は二枚片を立体展開で裁断された皮２１，２で、縫合糸３０によってボール芯１０外面を縫合する。
【０００３】
【考案が解決しようとする課題】
しかしながら、この種の表皮縫合不要の野球やソフトボールに用いられる球構造は、下述の問題がある。
ボール芯１０の最外層は吸水性に優れた混紡羊毛糸もしくはその他の糸を巻きつけてある。また、表皮２０は、二枚の立体展開に裁断された皮２１，２２を縫合糸３０でボール芯１０外面を覆い縫合されている。このため、野球、ソフトボールの球を湿度の高い場所に保管したり、雨天の試合に使用したりすると、水気や雨が表皮２０の縫い目（孔）隙間２３から浸入し（図３参照）、ボール芯１０最外層の混紡羊毛糸もしくはその他糸が水を含む。多量の水気や雨は、球の変形及び弾性に影響し、更には使用具合及び寿命に影響する。
表皮２０は、二枚の立体展開に裁断された皮２１，２２を縫合糸３０で縫い合わせてボール芯１０外面を包んでいる。この縫合作業は人の手作業によるため、生産速度を上げることができない。
表皮２０の二枚の皮２１，２２は手作業によって縫合され、且つ皮の厚みは平均しないため、縫合後の縫い目箇所は凸条が形成され、その幅、高さも一致しないため、使用者（投手）のコントロールに影響する。
表皮２０の二枚の皮２１，２２は、縫合糸３０によって縫い合わされる。縫合糸３０は磨耗して切れやすい。このため、使用寿命を低下させる。このため、上述の問題を改善する表皮縫合不要の野球、ソフトボール球構造を提供することを課題とする。
【０００４】
【課題を解決するための手段】
上記課題を解決するため、本考案の表皮縫合不要の野球又はソフトボール用の球構造は、主にボール芯及びボール芯外面を包む表皮から構成される。ボール芯は、高密度のコルク芯外側には幾層もの高弾性ゴム層を覆い、ゴム層の外面には何層もの糸を巻きつける。表皮は、二枚の立体展開に裁断した皮をボール芯外面に覆う。ボール芯表面には防水層があり、防水層の表面には凸条が成形され、凸条の形状は表皮の二枚皮周辺縁にちょうど接合するもので、凸条の厚みは少なくとも同じか、もしくは表皮の二枚皮の厚みよりやや厚く、表皮の二枚皮を接着方式で凸条以外の防水層表面にしっかり貼り付けることを特徴とする。
凸条は、表面に滑り止め作用の凸粒（もしくは凸紋）が設置されることを特徴とする。
すなわち、本考案の表皮縫合不要の野球又はソフトボール用の球構造は、以下に述べる特徴を有する。
１．主にボール芯及びボール芯外面を包む表皮から構成された表皮縫合不要の野球又はソフトボール用の球構造において、そのうち、
高密度のコルク芯外側には幾層もの高弾性ゴム層を覆い、ゴム層の外面には何層もの糸を巻きつけたボール芯と、
二枚の立体展開に裁断した皮をボール芯外面に覆った表皮から構成され、
ボール芯表面には防水層があり、防水層の表面には凸条が成形され、凸条の形状は表皮の二枚皮周辺縁にちょうど接合するもので、凸条の厚みは少なくとも同じか、もしくは表皮の二枚皮の厚みよりやや厚く、表皮の二枚皮を接着方式で凸条以外の防水層表面にしっかり貼り付けることを特徴とする。
２．前記凸条は、表面に滑り止め作用の凸粒（もしくは凸紋）が設置されることを特徴とする。
【０００５】
【考案の実施の形態】
以下、本考案表皮縫合不要の野球又はソフトボール用の球構造の実施例を図面に基づいて説明する。
先ず、図４，５が示すように、本考案は、主にボール芯４０及びボール芯４０外面を覆う表皮５０から構成される。そのうち、このボール芯４０は高密度のコルク芯外側面を幾層もの高弾性ゴム層で覆い、更にゴム層の外面は混紡羊毛糸もしくはその他糸等を何層も巻きつけて構成している。また、表皮５０は、二枚の立体展開して裁断された皮５１、５２を接着方式でしっかりとボール芯４０外面に貼り付ける。以上の本考案の技術であるボール芯４０と表皮５０の構造は公知のそれと大同小異であり、本考案の特徴とはいえない。本考案の特徴は下述のとおりである。
【０００６】
ボール芯４０（図５，６参照）は、その表面が弾性及び防水機能を備えたゴムもしくはプラスチック、もしくはその他類似材質で製造された防水層４１である。また防水層４１の表面は凸条４２が形成される。この凸条４２の形状は表皮５０の皮５１，５２の周辺縁がちょうど接合する形状で、凸条４２の厚みは少なくとも表皮５０の皮５１，５２の厚みと同じか、もしくはやや厚い。更に凸条４２表面には滑り止め作用の凸粒４３（もしくは凸紋）が設置され、表皮５０の皮５１，５２は接着方式で凸条以外の防水層４１表面にしっかりと貼り付ける。
【０００７】
【考案の効果】
以上説明したように、本考案の表皮縫合不要の野球又はソフトボール用の球構造は、下述の特徴と効果を備える。
ボール芯４０表面は防水層４１で覆われるため、野球、ソフトボール球を湿度の高い場所で保管したり、雨天の試合に使用しても、ボール芯４０に水気や雨が浸入して、ボール芯１０最外層の混紡羊毛糸もしくはその他糸が水を吸収してしまうのを有効に遮り、使用性能を高め、使用寿命を延ばす。
表皮５０の皮５１，５２は、接着方式で凸条４２以外の防水層４１表面にしっかりと貼り付ける。この方法は自動設備によって製造することができるため、縫合する作業コストを節約し、生産速度を向上させる。
表皮５０の皮５１，５２は、接着方式で凸条４２以外の防水層４１表面にしっかりと貼り付ける。このため、縫い目が磨耗して切れてしまう問題を改善し、使用寿命を延ばす。
凸条４２は、金型によって防水層４１上に成型される。そのため、幅、高さが一致し、使用者（投手）に良好な使いやすさとボールコントロールを提供する。凸条４２表面に凸粒（もしくは凸紋）４３を設置する。そのため、使用者（投手）に良好なキャッチやコントロールを提供する。
【図面の簡単な説明】
【図１】公知のボール芯と表皮の分解立体図である。
【図２】公知の球表皮をボール芯外面に縫合した立体指示図である。
【図３】公知の部分断面図である。
【図４】本考案のボール芯と表皮の分解立体図である。
【図５】本考案の表皮を接着方式によってボール芯（防水層）外面にしっかりと貼り付けた立体指示図である。
【図６】本考案の部分断面図である。
【符号の説明】
１０　ボール芯
２０　表皮
２１　皮
２２　皮
２３　縫い目（孔）隙間
３０　縫合糸
４０　ボール芯
４１　防水層
４２　凸条
４３　凸粒（もしくは凸紋）
５０　表皮
５１　皮
５２　皮
【図１】
0003098358.tif 000003
【図２】
0003098358.tif 000004
【図３】
0003098358.tif 000005
【図４】
0003098358.tif 000006
【図５】
0003098358.tif 000007
【図６】
0003098358.tif 000008
【手続補正書】
【提出日】平成15年8月20日(2003.8.20)
【手続補正１】
【補正対象書類名】明細書
【補正対象項目名】実用新案登録請求の範囲
【補正方法】変更
【補正の内容】
【実用新案登録請求の範囲】
【請求項１】
ボール芯及び該ボール芯外面を包む表皮とから構成された表皮縫合不要の野球又はソフトボール用の球構造において、そのうち、
高密度のコルク芯外側には幾層もの高弾性ゴム層を覆い、該ゴム層の外面には何層もの糸を巻きつけたボール芯と、
二枚の立体展開に裁断した皮を該ボール芯外面に覆った表皮とから構成され、
該ボール芯表面には防水層があり、該防水層の表面には凸条が成形され、該凸条の形状は該表皮の二枚皮周辺縁にちょうど接合するもので、該凸条の厚みは少なくとも同じか、もしくは該表皮の二枚皮の厚みよりやや厚く、該表皮の二枚皮を接着方式で該凸条以外の防水層表面にしっかり貼り付けることを特徴とする表皮縫合不要の野球又はソフトボール用の球構造。
【請求項２】
前記凸条は、表面に滑り止め作用の凸粒又は凸紋が設置されることを特徴とする請求項１記載の表皮縫合不要の野球又はソフトボール用の球構造。